(57)【要約】 【課題】ドーム型カメラ本体を天井埋め込み型ホルダーに収納固定するのに、設置作業が容易になる天井埋め込み型カメラ取り付け機構を提供すること。【解決手段】中央部に信号・電力伝達用のコネクタＡを有し、ドーム型カメラ本体２０の天頂部を形成する天板２２と、中央部に前記天板のコネクタＡが通る穴を有し、かつ該天板に取り付けたときに先端部が天板より外側に突出する複数個の突片３２を有し、該突片の先端部にスリット３３が形成されたカメラ本体固定用ブラケット３０と、略籠型に形成され、天頂部に前記コネクタＡと接合するコネクタＢを有し、側壁部には垂直方向に前記ブラケット３０の突片のスリット３３に嵌合し該ブラケット３０の移動方向を案内するガイドレール４１を有する天井埋め込み型ホルダー４０とを備えた。【選択図】図１
2008092258.tif 000002
【特許請求の範囲】
【請求項１】
中央部に信号・電力伝達用のコネクタＡを有し、ドーム型カメラ本体の天頂部を形成する天板と、
中央部に前記天板のコネクタＡが通る穴を有し、かつ該天板に取り付けたときに先端部が天板より外側に突出する複数個の突片を有するとともに、該突片の先端部にスリットが形成されたカメラ本体固定用ブラケットと、
略籠型に形成され、内部天頂部に前記コネクタＡと接合するコネクタＢを有するとともに、側壁部には垂直方向に前記カメラ本体固定用ブラケットの突片のスリットに嵌合し該カメラ本体固定用ブラケットの移動方向を案内するガイドレールを有する天井埋め込み型ホルダーと、
を備えたことを特徴とする天井埋め込み型カメラ取付機構。
【請求項２】
前記天井埋め込み型ホルダーの前記コネクタＢは、天頂部に水平方向回動可能に構成された回動板に取り付けられているとともに、該回動板はバネにより付勢され、前記ドーム型カメラ本体の天板にカメラ本体固定用ブラケットを取り付けてブラケットの突片のスリットを天井埋め込み型ホルダーのガイドレールに嵌合させて案内させると、天板に設けられたコネクタＡと天井埋め込み型ホルダーに設けられたコネクタＢとが接合されるように位置形成されていることを特徴とする請求項１記載の天井埋め込み型カメラ取付機構。
【請求項３】
前記カメラ本体固定用ブラケットは、その突片の所定位置がＬ字状に屈曲され先端部にネジ孔を有する固定ロック部を有するとともに、前記天井埋め込み型ホルダーにも、前記コネクタＡとコネクタＢとを接合してカメラ本体固定用ブラケットを所定角度回動させた所定位置に、前記固定ロック部のネジ孔に当接してネジ止め可能とするロック片を有することを特徴とする請求項１又は２記載の天井埋め込み型カメラ取付機構。
【請求項４】
前記天井埋め込み型ホルダーの外周には、垂直に配置された複数個のネジを有するとともに、該ネジに螺合し外方向に回動可能なアームを有し、該ネジを回すことにより該アームが上下方向にスライドするように構成されていることを特徴とする請求項１〜３の何れか１項記載の天井埋め込み型カメラ取付機構。
【発明の詳細な説明】
【技術分野】
【０００１】
本発明は、防犯あるいは異常監視用として天井にカメラを埋め込み、そのカメラの先端を天井から突出させた半透明のドーム状部材内に位置させるための天井埋め込み型カメラ取付機構に関するものである。
【背景技術】
【０００２】
従来のドームカメラは、カメラへの電源供給や信号の授受伝達のためコネクタをドーム型カメラ本体から所定の長さだけ引き伸ばしたケーブル（ワイヤハーネス）の先端に取り付けておく構成になっている。一方、ドーム型カメラ本体を天井や壁に埋め込むため、天井等に開けられた穴に設置する天井埋め込み型ホルダーは、下端部が開放された籠型になっていて、その中にドーム型カメラ本体を収納するようになっている。そして、この天井埋め込み型ホルダーの天頂部には前記カメラ本体から引き伸ばされたケーブルの先端に取り付けられたコネクタを接合するためのコネクタが設けられている。
【０００３】
ドーム型カメラ本体を天井等へ埋め込んで設置する際には、先ずカメラ本体側のコネクタをケーブルを伸ばして引き伸し、天井埋め込み型ホルダーのコネクタへ接合し、その後にカメラ本体を天井埋め込み型ホルダーの収納空間へ挿入して埋め込み、固定ネジ等で固定しているのは通常である。
【０００４】
例えば、カメラ本体の固定は、特許文献１に示すように、カメラ本体（１）を凹部（４）へ入れて、一対の引っ掛けフック（１１）を挿通孔部（１６）へ通し、その状態で角度調整用長孔（１５）を水平方向に回転させ、位置が決まったらネジ具（３３）で固定している。
【０００５】
【特許文献１】特開平１１−３５５６１５号公報
【発明の開示】
【発明が解決しようとする課題】
【０００６】
従来の構成のように、ドーム型カメラ本体側のコネクタがカメラ本体からケーブルで引き伸ばされその先端に取り付けられているものは、カメラ本体側のコネクタと天井埋め込み型ホルダー側のコネクタを接合した後に、カメラ本体を天井埋め込み型ホルダーの中に収納する際、ケーブルをカメラ本体と天井埋め込み型ホルダーとの間に挟まらないように束ねる等の処理が煩雑で作業が行いにくいという問題がある。特に、天井に手を伸ばして作業をつづけることは作業者にとってきつい作業となる。ケーブルがカメラ本体と天井埋め込み型ホルダーとの間に挟まったまま無理にカメラ本体を埋め込もうとすると断線するおそれがあり、また断線しないまでもケーブルの被覆が剥がれて他の金属部分に接触し不具合を生じるおそれがある。
また、カメラ本体を天井埋め込み型ホルダーに固定する方法も、特許文献１のようにした場合、作業者からは引っ掛け用フック（１１）と挿通孔部（１６）との位置関係が見えないので、挿通孔部（１６）の位置を探すためにカメラ本体（１）を水平方向へ試行錯誤的に回転させなければならず、カメラの設置作業が容易ではない。
【０００７】
本発明の課題は、ドーム型カメラ本体を天井埋め込み型ホルダーに収納固定するのに、設置作業が容易になる天井埋め込み型カメラ取り付け機構を提供することにある。
【課題を解決するための手段】
【０００８】
請求項１記載の天井埋め込み型カメラ取付機構は、中央部に信号・電力伝達用のコネクタＡを有し、ドーム型カメラ本体の天頂部を形成する天板と、中央部に前記天板のコネクタＡが通る穴を有し、かつ該天板に取り付けたときに先端部が天板より外側に突出する複数個の突片を有するとともに、該突片の先端部にスリットが形成されたカメラ本体固定用ブラケットと、略籠型に形成され、内部天頂部に前記コネクタＡと接合するコネクタＢを有するとともに、側壁部には垂直方向に前記カメラ本体固定用ブラケットの突片のスリットに嵌合し該カメラ本体固定用ブラケットの移動方向を案内するガイドレールを有する天井埋め込み型ホルダーとを備えたことを特徴としている。
【０００９】
請求項２記載の天井埋め込み型カメラ取付機構は、請求項１記載の発明において、天井埋め込み型ホルダーの前記コネクタＢは、天頂部に水平方向回動可能に構成された回動板に取り付けられているとともに、該回動板はバネにより付勢され、前記ドーム型カメラ本体の天板にカメラ本体固定用ブラケットを取り付けてブラケットの突片のスリットを天井埋め込み型ホルダーのガイドレールに嵌合させて案内させると、天板に設けられたコネクタＡと天井埋め込み型ホルダーに設けられたコネクタＢとが接合されるように位置形成されていることを特徴としている。
【００１０】
請求項３記載の天井埋め込み型カメラ取付機構は、請求項１又は２記載の発明において、カメラ本体固定用ブラケットは、その突片の所定位置がＬ字状に屈曲され先端部にネジ孔を有する固定ロック部を有するとともに、前記天井埋め込み型ホルダーにも、前記コネクタＡとコネクタＢとを接合してカメラ本体固定用ブラケットを所定角度回動させた所定位置に、前記固定ロック部のネジ孔に当接してネジ止め可能とするロック片を有することを特徴としている。
【００１１】
請求項４記載の天井埋め込み型カメラ取付機構は、請求項１〜３の何れか１項記載の発明において、天井埋め込み型ホルダーの外周には、垂直に配置された複数個のネジを有するとともに、該ネジに螺合し外方向に回動可能なアームを有し、該ネジを回すことにより該アームが上下方向にスライドするように構成されていることを特徴としている。
【発明の効果】
【００１２】
請求項１記載の発明によれば、ドーム型カメラ本体を天井埋め込み型ホルダー内に収納する際、先ずカメラ本体固定用ブラケットをドーム型カメラ本体の天板に取り付けて、ブラケットの突片に形成されたスリットを天井埋め込み型ホルダーの側壁部に設けられたガイドレールに嵌め込むことで、簡単にカメラ本体の位置あわせをすることができる。その状態でカメラ本体固定用ブラケットを天井埋め込み型ホルダーの奥方向へガイドレールに沿って案内させると、ドーム型カメラ本体の天板中央部に設けられたコネクタＡと天井埋め込み型ホルダーの天頂部に設けられたコネクタＢとが接合される。
このため、従来のように、ケーブルをカメラ本体と天井埋め込み型ホルダーとの間に挟まらないように束ねる等の処理を必要とせず設置作業が容易になるとともに、ケーブルが無いのでケーブル断線のような不具合を生じるおそれがない。
【００１３】
請求項２記載の発明によれば、天井埋め込み型ホルダーのコネクタＢは、バネで付勢された回動板に取り付けられていて、付勢された回動板の位置におけるコネクタＢの位置は、ドーム型カメラ本体の天板にカメラ本体固定用ブラケットを取り付けてブラケットの突片のスリットを天井埋め込み型ホルダーのガイドレールに嵌合させて案内させると、丁度天板に設けられたコネクタＡと一致するようになる。このため作業者が位置あわせなどを行う必要がなく、作業性が良くなるし、コネクタの形状が特殊な形式であっても、予めコネクタの向きを決めて設置しておけばスムースに接合させることができる。
【００１４】
なお、ドーム型カメラ本体のカメラの向きを変えるときは、ドーム型カメラ本体をその状態で所定範囲回すことができる。このとき、ドーム型カメラ本体の天板に取り付けられたコネクタＡも一体となって回るが、天井埋め込み型ホルダーの天頂に取り付けられたコネクタＢもコネクタＡと接合したまま回動板に取り付けられたバネの付勢力に抗して回るので、問題が生じない。
なお、天井埋め込み型ホルダーのガイドレールは、カメラ本体固定用ブラケットを案内するのに必要な長さだけ確保されているので、コネクタＡとコネクタＢとが接合した状態では、カメラ本体固定用ブラケットの突片のスリットはガイドレールから外れていて、ドーム型カメラ本体を回転させることができるようになっている。
【００１５】
請求項３記載の発明によれば、一旦、ドーム型カメラ本体を天井埋め込み型ホルダーに収納した後、所定方向に回すと、カメラ本体固定用ブラケットの突片のＬ字状に屈曲された固定ロック部が天井埋め込み型ホルダーのロック片に当接するので、その位置でネジ止めすればドーム型カメラ本体をしっかりと固定することができる。
なお、ロック片側に、予め脱落防止機能が付いたネジを装備させておけば、作業性が更に向上する。
【００１６】
請求項４記載の発明によれば、天井埋め込み型ホルダーを天井に形成された穴に嵌め込み、天井埋め込み型ホルダーの外周に垂直に配置された複数個のネジに螺合するアームを天井埋め込み型ホルダーの内側から隙間を利用して外方向に回動させ、ネジを回すことにより該アームと天井埋め込み型ホルダーの下端部に形成されたフランジ部との間で天井を挟持させ天井の厚さに対応させて天井埋め込み型ホルダーを固定させることができる。
【発明を実施するための最良の形態】
【００１７】
以下、本発明に係る天井埋め込み型カメラ取付機構の実施の形態について説明する。
本実施の形態である天井埋め込み型カメラ取付機構１０は、図１に示すように、ドーム型カメラ本体２０の天頂部を形成する天板２２と、該天板２２の上面に装着するためのカメラ本体固定用ブラケット（以下、単に「ブラケット」と言うことがある。）３０と、これらドーム型カメラ本体２０及びブラケット３０を収納し、かつ天井に形成された穴に嵌め込むように構成された天井埋め込み型ホルダー（以下、単に「ホルダー」と言うことがある。）４０とを有している。
【００１８】
ドーム型カメラ本体２０は、下部がドーム型２１に形成されており、その内部には水平・垂直回転自在に構成されたカメラが収納されている。また、天頂部を形成する天板２２には、その中央部に信号・電力伝達用のコネクタＡが設けられており、該コネクタＡを囲むように一部切り欠き部２３ａが形成された円形壁２３が設けられている。また、該円形壁２３の外側には、後述するブラケットを止着するため三個のネジ孔２４が形成されており、これらネジ孔２４にはそれぞれネジ溝が穿設されている。なお、このコネクタＡのドーム型２１内は、ドーム型２１内に収納されているカメラ（図示せず）とケーブルによって結線されている。
【００１９】
また、前記ブラケット３０は、薄い金属板にて形成されたもので、図３に示すように、中央部には前記天板２２のコネクタＡ及び円形壁２３が通る穴３１を有しており、かつ前記天板２２に取り付けたときに先端部が前記天板より外側に突出する状態となる複数個の突片３２を有する略三つ叉状になっていて、該突片３２の先端部にはそれぞれスリット３３が形成されている。
【００２０】
また、図６に示すように、該突片３２の先端部に形成されたスリットの側部には、Ｌ字状に屈曲された固定ロック部３４が設けられており、該固定ロック部３４の先端部にはネジ溝が穿設されたネジ孔３５が設けられているとともに、突片３２の中央部には、このブラケット３０をドーム型カメラ本体２０の天板２２に止着するための３個のネジ孔３６が設けられている。
なお、ブラケット３０の中央部に形成された穴３１には、その周辺部に一部中心部に向かって凸部３１ａが形成されており、ドーム型カメラ本体２０の天板２２に止着するときに、天板２２の円形壁２３の切り欠き部２３ａに嵌合して位置決めが行えるようになっている。
【００２１】
次ぎに、前記ホルダー４０について説明すると、ホルダー４０は、天井あるいは壁に形成された穴に嵌め込むもので、図１、２、３、４、７、８に示すように、略籠型に形成されており、天頂部に前記ドーム型カメラ本体２０の天板２２に設けられているコネクタＡと接合するコネクタＢを有する。また、側壁部には垂直方向に前記ブラケット３０の突片３２のスリット３３に嵌合し該ブラケット３０の移動方向を案内するガイドレール４１を有している。
【００２２】
また、該ホルダー４０は、そのほぼ閉塞された天頂部４２の中央部に中心部を軸にして水平方向回動可能に構成された回動板４３が設けられており、該回動板４３にコネクタＢが取り付けられていて、コネクタＢはホルダー４０の天頂部４２を貫通した状態で配置されている。コネクタＢは、ホルダー４０内側の端子が嵌合式になっていて、ブラケット４０の外側は半田付け用の端子となっている。  また、前記回動板４３はバネ４４により、前記ドーム型カメラ本体２０の天板２２にブラケット３０を取り付けてブラケット３０の突片３２のスリット３３をホルダーのガイドレールに嵌合させて案内させると、ドーム型カメラ本体２０の天板２２に設けられたコネクタＡと回動板４３に設けられたコネクタＢとが接合される位置となるように付勢されている。
【００２３】
また、ホルダー４０には、ブラケット３０が止着されたドーム型カメラ本体２０の天板２２に設けられたコネクタＡと、天井埋め込み型保ホルダー４０の回動板４３に設けられたコネクタＢとを接合してブラケットを所定角度回動させた位置に、前記ブラケット３０の固定ロック部３４に当接するロック片４５が３ヶ所設けられている（図１、２、３参照）。また、これらロック片４５にはネジ孔（図示せず）が形成されており、ロック片４５がブラケット３０の固定ロック部３４に当接した状態で、該ネジ孔からネジを差し込み、固定ロック部３４に設けられたネジ孔３５にネジを螺合させ、ブラケット３０すなわちドーム型カメラ本体２０をホルダー４０にしっかりと固定することができる。なお、ロック片４５側に、図１に示すように、予め脱落防止機能が付いたネジ４６を装備させておけば、作業性が一層向上する。
【００２４】
更にまた、ホルダー４０には、その外周に垂直に配置された３個のネジ４７を有するとともに、該ネジ４７に螺合し外方向に回動可能なアーム４８が設けられていて、該ネジ４７を回すことにより該アーム４８が上下方向にスライドするように構成されている。
このホルダー４０を天井に形成された穴に嵌め込み、ネジ４７に螺合するアーム４８をホルダー４０の内側から隙間を利用して外方向に回動させ、ネジを回すことにより該アーム４８とホルダー４０の下端部に形成されたフランジ部４９との間で天井を挟持させ天井の厚さに対応させて固定させることができる。
なお、図２において符号５０を付した部材は、ホルダー４０の天頂部外側に取り付けられたソケット取付部材であって、２個の嵌合式コネクタ５１と同軸ケーブル用のコネクタ５２が取り付けられている。これらコネクタ５１、５２はソケット取付部材５０の内側ではホルダーに設けられたコネクタＢとケーブルで結線されており、ソケット取付部材５０の外側は外線が接続されるようになっている。
【００２５】
続けて、ホルダー４０にドーム型カメラ本体２０を装着する際の順序につき、図５〜図１０を参照して更に説明する。
先ず、図５に示すように、ドーム型カメラ本体２０の天頂部を形成する天板２２にコネクタＡを設けるとともに、上述したように所定の形状に構成しておく。そして、図６に示すように、天板２２にブラケット３０をネジ止めする。その際にブラケット３０の中央部に設けられた穴３１の周辺部に形成された凸部３１ａを天板２２の円形壁２３の切り欠き部２３ａに合わせ位置決めして止着する。
次ぎに、図７に示すように、ブラケット３０の突片３２に形成されたスリット３３をそれぞれ、既に天井に嵌め込まれたホルダー４０のガイドレール４１に嵌合させる。このとき、ソケットＡとソケットＢとの位置を大体合わせた状態にして嵌合させる。その状態で、ドーム型カメラ本体２０をホルダー４０内に押し込んでいくとソケットＡはソケットＢに接合する。なお、ドーム型カメラ本体２０をホルダー４０に収納する前に、天井に設けられた穴に嵌め込んだホルダー４０のアーム４８をホルダー４０の側面の隙間を利用して外側に突出させておく。
【００２６】
続いて、図８に示すように、ドーム型カメラ本体２０を所定の角度だけ回すと、ブラケット３０の固定ロック部３４がホルダー４０のロック片４５に当接する。この状態で、図１に示すロック片４５に設けられた脱落防止機能つきのネジ４６を回すと、ネジ４６は固定ロック部３４に形成されたネジ孔３５（図３参照）に螺合し、ドーム型カメラ本体２０はホルダー４０内にしっかりと固定される。
次ぎに、図９に示すように、先ずカメラの向きなどをホルダー４０を回して位置決めした後、ホルダー４０の外周に設けられたネジ４７を回し、アーム４８を上下移動させて、天井の厚さに対応させアーム４８とホルダー４０の下側のフランジ部４９とで天井を挟持させる。
図１０は、この天井埋め込み型カメラ取付機構を、天井に設けられた穴に設置した状態を断面図で示したものである。
【産業上の利用可能性】
【００２７】
本発明は、天井埋め込み型カメラ取付機構としているが、天井のみならず壁面にも利用することができ、防犯、防災用として種々の場所において目立たないように設置することが可能である。
【図面の簡単な説明】
【００２８】
【図１】本発明に係る天井埋め込み型カメラ取付機構の実施の形態を示す図である。
【図２】天井埋め込み型ホルダーの斜視図である。
【図３】カメラ本体固定用ブラケットを天井埋め込み型ホルダーに嵌め込む状態の底面図である。
【図４】カメラ本体固定用ブラケットを天井埋め込み型ホルダーに嵌め込んで所定回転をさせてカメラ本体固定用ブラケットを固定させた状態の底面図である。
【図５】ドーム型カメラ本体の天板を示す斜視図である。
【図６】ドーム型カメラ本体の天板にカメラ本体固定用ブラケットを取り付けた状態の斜視図である。
【図７】ドーム型カメラ本体の天板にカメラ本体固定用ブラケットを取り付けたものを天井埋め込み型ホルダーに嵌め込む様子を示す斜視図である。
【図８】ドーム型カメラ本体を天井埋め込み型ホルダーに嵌め込んで所定角度回転させることを説明するための斜視図である。
【図９】ドーム型カメラ本体が天井埋め込み型ホルダーに固定された状態を示し、かつ天井に固定することを説明するための斜視図である。
【図１０】天井埋め込み型カメラ取付機構を天井にセットした状態の概略断面図である。
【符号の説明】
【００２９】
１０    天井埋め込み型カメラ取付機構
２０    ドーム型カメラ本体
２２    天板
３０    カメラ本体固定用ブラケット
３１    穴
３２    突片
３３    スリット
３４    固定ロック部
４０    天井埋め込み型ホルダー
４１    ガイドレール
４２    天頂部
４３    回動板
４４    バネ
４５    ロック片
４７    ネジ
４８    アーム
４９    フランジ部
５０    ソケット取付部材
Ａ    コネクタ
Ｂ    コネクタ
【図１】
2008092258.tif 000003
【図２】
2008092258.tif 000004
【図３】
2008092258.tif 000005
【図４】
2008092258.tif 000006
【図５】
2008092258.tif 000007
【図６】
2008092258.tif 000008
【図７】
2008092258.tif 000009
【図８】
2008092258.tif 000010
【図９】
2008092258.tif 000011
【図１０】
2008092258.tif 000012